(57)【要約】【課題】  鉄道車両が電化区間を走行中に車載バッテリに確実に且つ効率よくフル充電しておくことができ、その車載バッテリの充電電力で次の非電化区間を確実に走破できるようにすること、高圧の車載バッテリに対する安全対策を向上させること等である。【解決手段】  車載バッテリ１０と誘導電動機８とを備え、電化区間と非電化区間とに亙って連続して走行可能な電動車２に設けられたバッテリ用充電装置２５により、電動車２が電化区間を走行中に、運行情報から求めた充電可能時間に基づいて演算した充電電流となるように電圧補償装置２６が制御され、電動車２が電化区間の走行中に車載バッテリ１０をフル充電しておく。非電化区間においては、誘導電動機８は架線１から電力供給を受ける代わりに、フル充電された車載バッテリ１０から駆動電力を受けることができ、電動車２は電化区間に続く非電化区間を何ら支障なく確実に完走することができる。【選択図】  図１
2008263741.tif 000002
【特許請求の範囲】
【請求項１】
電力を蓄電可能な車載バッテリと、電化区間においては架線からパンタグラフを介して電力供給を受けて或いは非電化区間においては前記車載バッテリから電力供給を受けて駆動される走行駆動用電動機とを備え、電化区間と非電化区間とに亙って連続して走行可能な鉄道車両における車載バッテリに対する充電装置であって、
前記電化区間を走行中に、前記車載バッテリへ充電する充電電流を、運行情報から求めた充電可能時間に基づいて演算する演算手段と、
前記架線に電気的に接続されるＤＣＬＩＮＫと前記車載バッテリとに接続された電圧補償手段であって、前記演算手段で演算された充電電流で前記車載バッテリに充電するように充電電流を調節可能な電圧補償手段と、
前記電圧補償手段を制御する充電制御手段と、
を備えたことを特徴とする鉄道車両におけるバッテリ用充電装置。
【請求項２】
前記充電制御手段は、鉄道車両の制動時に、前記ＤＣＬＩＮＫから前記架線に逆流させることなく、前記電動機で回生した回生電力の全てを前記車載バッテリに充電するように前記電圧補償手段を制御することを特徴とする請求項１に記載の鉄道車両におけるバッテリ用充電装置。
【請求項３】
前記車載バッテリの充電電力を前記電動機に直接供給するための放電用スイッチを設け、前記充電制御手段は前記非電化区間においては、前記電圧補償手段の作動停止し、前記放電用スイッチを閉成することを特徴とする請求項１又は２に記載の鉄道車両におけるバッテリ用充電装置。
【請求項４】
前記電動機からの回生電力を前記車載バッテリに直接供給するための充電用スイッチを設け、前記充電制御手段は前記非電化区間の制動時においては、前記電圧補償手段の作動停止し、前記充電用スイッチを閉成することを特徴とすることを特徴とする請求項１〜３の何れかに記載の鉄道車両におけるバッテリ用充電装置。
【請求項５】
前記鉄道車両の制動時に前記ＤＣＬＩＮＫから架線へ回生電流が逆流するのを防止する逆流防止スイッチ手段を、前記パンタグラフと前記ＤＣＬＩＮＫとの間に設けたことを特徴とする請求項２に記載の鉄道車両におけるバッテリ用充電装置。
【請求項６】
複数の遮断用接点を有する配線用遮断器を設け、前記車載バッテリは複数のバッテリユニットを直列に接続して構成され、これら複数のバッテリユニットの接続部の各々に前記配線用遮断器の遮断用接点を介設したことを特徴とする請求項１〜５の何れかに記載の鉄道車両におけるバッテリ用充電装置。
【請求項７】
前記ＤＣＬＩＮＫの電圧が所定電圧以下になったことを検出する電圧低下検出器を設け、この電圧低下検出器で電圧低下が検出されると、前記充電制御手段は電圧補償手段による充電動作を停止させることを特徴とする請求項１〜６の何れかに記載の鉄道車両におけるバッテリ用充電装置。
【発明の詳細な説明】
【技術分野】
【０００１】
本発明は、鉄道車両が電化区間を走行中に架線電圧を受けて車載バッテリに充電し、この車載バッテリから供給される駆動電力で鉄道車両が非電化区間を走破できるようにした鉄道車両におけるバッテリ用充電装置に関する。
【背景技術】
【０００２】
従来、鉄道車両に充放電可能な車載バッテリと、この車載バッテリに対して充電が可能な充電回路を装備し、鉄道車両が電化区間を走行する場合には、架線から供給される電力で走行しながら車載バッテリに充電し、架線が無い非電化区間を走行する場合には、車載バッテリに充電しておいた電力を用いて走行できるようにした鉄道車両の充放電制御技術が種々提案されている。
【０００３】
例えば、特許文献１に記載のインバータ制御式電気車両は、複数のインバータ制御装置と、補機回路電源装置と、充電装置と、この充電装置で充電される蓄電池とを備えている。パンタグラフを介してＤＣ１５００Ｖの架線電圧が各インバータ制御装置と補機回路電源装置に供給される。各インバータ制御装置は、架線電圧を受けて３相交流電動機の回転数とトルクを変化させるので、インバータ制御式電気車両の速度と牽引力がコントロールされる。補機回路電源装置は架線電圧を交流３相の４４０Ｖに変換するので、充電装置によりＤＣ６００Ｖで蓄電池に充電されるようにしてある。
【０００４】
ところで、この種の電気車両に搭載する蓄電池は、高電圧（例えば、600〜800Ｖ）且つ大容量（例えば、１５０〜２００ＡＨ）であるため、その外形形状が大きく、しかも重量も重くなる。そこで、車載バッテリを複数個のバッテリユニットに分割し、これら複数のバッテリユニットを複数台の電動車に分散させるのが一般的である。
【特許文献１】特開平６−９８４０９号公報（第５〜６頁、図１）
【発明の開示】
【発明が解決しようとする課題】
【０００５】
前述した特許文献１に記載のインバータ制御式電気車両においては、この電気車両が電化区間を走行中に蓄電池に充電するようにした単なる充電技術が開示されただけなので、この電気車両が電化区間を走行中に、蓄電池に蓄電されている蓄電容量を検出することも、充電電流を制御することもなされず、架線電圧により蓄電池をフル状態にまで充電するようにはなっていない。
【０００６】
例えば、蓄電池にフル充電されている場合には、電気車両が次の非電化区間を蓄電池の充電電力で充分に走破できる場合であっても、蓄電池にフル充電されていない場合には、電気車両は、充電量に応じた距離しか走行できず、次の非電化区間を走破することができなくなるという問題がある。
【０００７】
更に、蓄電池を搭載した電気車両が列車事故を起こし、蓄電池から充電電流が外部に漏出する、つまり漏電を起こすような場合には、この漏電で乗客や乗員が感電する可能性がある。
【０００８】
本発明の目的は、鉄道車両が電化区間を走行中に車載バッテリに確実に且つ効率よくフル充電でき、この車載バッテリに蓄積した電力で次の非電化区間を確実に走破できるようにすること、高電圧の車載バッテリに対する安全対策を向上させること、等である。
【課題を解決するための手段】
【０００９】
請求項１の鉄道車両のバッテリ用充電装置は、電力を蓄電可能な車載バッテリと、電化区間においては架線からパンタグラフを介して電力供給を受けて或いは非電化区間においては前記車載バッテリから電力供給を受けて駆動される走行駆動用電動機とを備え、電化区間と非電化区間とに亙って連続して走行可能な鉄道車両における車載バッテリに対する充電装置であって、電化区間を走行中に、車載バッテリへ充電する充電電流を、運行情報から求めた充電可能時間に基づいて演算する演算手段と、架線に電気的に接続されるＤＣＬＩＮＫと車載バッテリとに接続された電圧補償手段であって、演算手段で演算された充電電流で車載バッテリに充電するように充電電流を調節可能な電圧補償手段と、電圧補償手段を制御する充電制御手段とを備えたものである。
【００１０】
鉄道車両が電化区間を走行する場合、架線からパンタグラフを介して受けた駆動電力が走行駆動用電動機に供給されるので、電動機がこの駆動電力で駆動され鉄道車両が走行する。このように、鉄道車両が電化区間を走行中に、運行情報から求めた充電可能時間に基づいて、車載バッテリへ充電する充電電流が演算される。
【００１１】
そこで、このように求めた充電電流となるように、充電制御手段が電圧補償手段を制御するので、鉄道車両が電化区間を走行し終わるまでに、車載バッテリがフル充電される。その後、鉄道車両が電化区間に続く非電化区間を走行する場合、フル充電状態の車載バッテリから駆動電力が走行駆動用電動機に供給されて電動機が駆動され、鉄道車両が非電化区間を完走する。
【００１２】
請求項２の鉄道車両のバッテリ用充電装置は、請求項１において、前記充電制御手段は、鉄道車両の制動時に、ＤＣＬＩＮＫから架線に逆流させることなく、電動機で回生した回生電力の全てを車載バッテリに充電するように電圧補償手段を制御するものである。
【００１３】
請求項３の鉄道車両のバッテリ用充電装置は、請求項１又は２において、前記車載バッテリの充電電力を電動機に直接供給するための放電用スイッチを設け、充電制御手段は非電化区間においては、電圧補償手段の作動停止し、放電用スイッチを閉成するものである。
【００１４】
請求項４の鉄道車両のバッテリ用充電装置は、請求項１〜３の何れかにおいて、前記電動機からの回生電力を車載バッテリに直接供給するための充電用スイッチを設け、充電制御手段は非電化区間の制動時においては、電圧補償手段の作動停止し、充電用スイッチを閉成するものである。
【００１５】
請求項５の鉄道車両のバッテリ用充電装置は、請求項２において、前記鉄道車両の制動時にＤＣＬＩＮＫから架線へ回生電流が逆流するのを防止する逆流防止スイッチ手段を、パンタグラフとＤＣＬＩＮＫとの間に設けたものである。
【００１６】
請求項６の鉄道車両のバッテリ用充電装置は、請求項１〜５の何れかにおいて、複数の遮断用接点を有する配線用遮断器を設け、車載バッテリは複数のバッテリユニットを直列に接続して構成され、これら複数のバッテリユニットの接続部の各々に配線用遮断器の遮断用接点を介設したものである。
【００１７】
請求項７の鉄道車両のバッテリ用充電装置は、請求項１〜６の何れかにおいて、前記ＤＣＬＩＮＫの電圧が所定電圧以下になったことを検出する電圧低下検出器を設け、この電圧低下検出器で電圧低下が検出されると、充電制御手段は電圧補償手段による充電動作を停止させるものである。
【発明の効果】
【００１８】
請求項１の発明によれば、電力を蓄電可能な車載バッテリと走行駆動用電動機とを備え、電化区間と非電化区間とに亙って連続して走行可能な鉄道車両における車載バッテリに対する充電装置であって、演算手段と、電圧補償手段と、充電制御手段とを設けたので、鉄道車両が電化区間を走行中に、運行情報から求めた充電可能時間に基づいて演算した充電電流となるように電圧補償手段が制御され、鉄道車両が電化区間の走行中に車載バッテリをフル充電させることができる。
【００１９】
それ故、非電化区間においては、電動機は架線から電力供給を受ける代わりに、フル充電された車載バッテリから駆動電力を受けることができ、鉄道車両は電化区間に続く非電化区間を何ら支障なく確実に完走することができる。
【００２０】
請求項２の発明によれば、前記充電制御手段は、鉄道車両の制動時に、ＤＣＬＩＮＫから架線に逆流させることなく、電動機で回生した回生電力の全てを車載バッテリに充電するように電圧補償手段を制御するので、架線に回生しても回生失効等で無駄になるような回生電力を、無駄なく且つ効率良く車載バッテリに充電させることができる。その他請求項１と同様の効果を奏する。
【００２１】
請求項３の発明によれば、前記車載バッテリの充電電力を電動機に直接供給するための放電用スイッチを設け、充電制御手段は非電化区間においては、電圧補償手段の作動を停止し、放電用スイッチを閉成するので、電圧補償手段の余分な制御を中止することができ、車載バッテリに蓄電されている駆動電力を放電用スイッチを介して電動機に直接に供給して、鉄道車両を走行させることができる。
【００２２】
即ち、車載バッテリから電動機に至る放電回路に、電圧補償手段が介在せず、放電動作を妨げるような抵抗体が一切存在しないので、電圧補償手段における放電ロスを確実に回避でき、車載バッテリに蓄積した駆動電力の全てを電動機に効率良く迅速に供給することが可能になる。
【００２３】
この場合、鉄道車両用の電動機は、電化区間を走行中に架線電圧が大幅に変動した場合でも、安定走行が可能なように設計されているため、非電化区間の走行時に、車載バッテリから出力される駆動電圧に大きな変動が生じた場合でも、電動機を駆動制御することができる。その他請求項１又は２と同様の効果を奏する。
【００２４】
請求項４の発明によれば、前記電動機からの回生電力を車載バッテリに直接供給するための充電用スイッチを設け、充電制御手段は非電化区間の制動時においては、電圧補償手段の作動を停止し、充電用スイッチを閉成するので、回生電力の車載バッテリへの充電回路に、電圧補償手段が介在せず、充電を妨げるような抵抗体が一切存在しないので、電圧補償手段による充電ロスを回避でき、回生電力の全てを充電用スイッチを介して車載バッテリに効率良く直接充電が可能になる。
【００２５】
しかも、回生電流が電圧補償手段の設定電流以下になれば、電圧補償手段に自動的に切り替わり、充電用スイッチには逆電圧が加わるので、充電用スイッチとしてサイリスタ等の自己消弧機能の無い安価なスイチング素子を採用することができる。その他請求項１〜３の何れかと同様の効果を奏する。
【００２６】
請求項５の発明によれば、前記鉄道車両の制動時にＤＣＬＩＮＫから架線へ回生電流が逆流するのを防止する逆流防止スイッチ手段を、パンタグラフとＤＣＬＩＮＫとの間に設けたので、電化区間の回生制動時において、電動機で発生する回生電流が架線に逆流しないように、充電制御手段が電圧補償手段について、ＤＣＬＩＮＫ電圧の大きさに応じて車載バッテリへの充電電流を変更する充電電流変更制御を一切必要とせず、充電制御手段による回生電力充電制御の省略化を図ることができる。その他請求項２と同様の効果を奏する。
【００２７】
請求項６の発明によれば、複数の遮断用接点を有する配線用遮断器を設け、前記車載バッテリは複数のバッテリユニットを直列に接続して構成され、これら複数のバッテリユニットの接続部の各々に前記配線用遮断器の遮断用接点を介設したので、車載バッテリに接続される充電回路で何らかの短絡状態が発生し、大きな短絡電流がバッテリ充電回路に流れるような場合でも、配線用遮断器に有する複数の遮断用接点が一斉に開成される。
【００２８】
それ故、車載バッテリは、開成された複数の遮断用接点により複数のバッテリユニット毎に分割されるとともに、電圧補償手段を故障から確実に保護することができる。また、複数の遮断用接点は、車載バッテリの直流回路に直列状に介設されているため、これら遮断用接点の遮断時における接点溶融を確実に回避することができる。
【００２９】
ここで、車載バッテリは高電圧且つ大容量であっても、各バッテリユニットの出力電圧が人体に支障の無い安全な電圧（例えば、100V）に設定しておくことで、何らかの列車事故が発生した場合でも、バッテリ回路への大きな短絡電流の流出を確実に回避して、乗客や乗員の感電防止、つまりバッテリに対する安全対策を確実なものにできる。その他請求項１〜５の何れかと同様の効果を奏する。
【００３０】
請求項７の発明によれば、前記ＤＣＬＩＮＫの電圧が所定電圧以下になったことを検出する電圧低下検出器を設け、この電圧低下検出器で電圧低下が検出されると、充電制御手段は電圧補償手段による充電動作を停止させるので、架線に電力を供給する変電所に対する電力供給負担を格段に軽減させることができ、更なる架線電圧の低下を確実に防止することができる。その他請求項１〜６の何れかと同様の効果を奏する。
【発明を実施するための最良の形態】
【００３１】
本実施例の鉄道車両のバッテリ用充電装置は、鉄道車両である電動車に搭載された車載バッテリに、電化区間の走行中に、充電可能時間に応じた充電電流で充電する一方、電動車の制動時に回生された回生電力を、架線に逆流させることなく、車載バッテリに効率良くフル充電できるようにしてある。更に、非電化区間の走行に際して、この車載バッテリにフル充電された電力により走行駆動用誘導電動機が駆動制御されるようにしてある。
【実施例】
【００３２】
車載バッテリ１０に電力を充電可能なバッテリ充電装置２５について説明する前に、最初に、図１に基づいて、このバッテリ充電装置２５と走行駆動用の３相の誘導電動機８が搭載されている電動車２（鉄道車両）について説明する。
【００３３】
図１に示すように、この電動車２は一般的な鉄道車両であり、図示外の変電所から架線１に給電されている直流をパンタグラフ３で集電し、高速遮断器２０と、電磁接触器２１と、高周波成分を阻止するフィルタリアクトル６とを順次経てＤＣＬＩＮＫ４に供給し、ＶＶＶＦ制御（可変電圧可変周波数制御）が可能なＶＶＶＦインバータ７により、Ｖ(電圧)／Ｆ(周波数)一定の３相交流に変換するようになっている。
【００３４】
ここで、ＤＣＬＩＮＫ４とは、電動車２内の電気回路において、ＶＶＶＦインバータ７のＤＣ部、車載バッテリ１０からのＤＣ部、架線１からのＤＣ部等が直流側の１点で互いに連係している点である。
【００３５】
そして、誘導電動機８は、ＶＶＶＦインバータ７から供給される３相交流の電圧と周波数と、誘導電動機８の回転周波数の大小関係に応じて、その動作モードが変わる。即ち、「ＶＶＶＦインバータ周波数＞誘導電動機周波数」の場合には、所謂スリップが「正」の領域で、誘導電動機８には加速トルクが作用する。誘導電動機８の停動トルクを越えない範囲内ではスリップに比例してトルクが増加する。
【００３６】
「ＶＶＶＦインバータ周波数＝誘導電動機周波数」の場合には、所謂「スリップ＝０」の状態であり、トルクは発生しない。誘導電動機８はＶＶＶＦインバータ７から与えられる周波数で励磁された状態であり、惰行状態である。一般に、電気車制御で言う「惰行」とはこの状態の場合もあるが、この状態の場合だと、励磁による鉄損の発生が嫌われるので、惰性走行の殆どの場合、ＶＶＶＦインバータ７の作動を中止し、無加圧で使用される場合が多い。
【００３７】
「ＶＶＶＦインバータ周波数＜誘導電動機周波数」の場合には、所謂スリップが「負」の領域で、誘導電動機８は発電機として作動し、ブレーキトルクが作用する。誘導電動機８の最大ブレーキトルクを越えない範囲内では、スリップに比例してトルクが増加する。ここで、ＤＣＬＩＮＫ４とグランドライン５の間に設けられたコンデンサ１１は、リアクトル６と協働してＶＶＶＦインバータ７のスイッチング作用により発生する高調波を吸収し、架線１側に高調波が流出するのを防止するＥＭＩフィルターとして機能する。
【００３８】
運転士により図示しないマスターコントローラが操作され、力行指令が出されると、ＶＶＶＦ制御された３相交流により、電動車２は停止状態から、マスターコントローラの力行指令に基づいて、中速域を経て高速域まで加速が可能である。運転士のマスターコントローラ操作によりブレーキ指令が出されると、ＶＶＶＦインバータ７により、誘導電動機８の回転周波数より低い周波数のＶＶＶＦ交流が出力され、回生ブレーキ動作が開始され、高速域から中速域を経て減速できるようになっている。但し、この回生ブレーキ動作においては、後述するように、誘導電動機８で発生する回生電力が後述するバッテリ用充電装置２５により車載バッテリ１０に充電（蓄電）可能になっている。
【００３９】
次に、電動車２が電化区間を力行走行又は惰性走行中に架線１からの架線電力を受けて、或いはブレーキ作動による回生時の回生電力を受けて、車載バッテリ１０に電力を充電させるバッテリ用充電装置２５について説明する。ここで、車載バッテリ１０は、ニッケル水素電池からなり、誘導電動機８を駆動可能な１５０〜２００ＡＨもの電流時間積を充電可能に構成されている。
【００４０】
ここで、車載バッテリ１０の構成について説明する。
図２に示すように、先ず、電動車２は、実際には、少なくとも２両の車両２ａ，２ｂを連結した２両編成である。そこで、例えば「６００Ｖ」もの高電圧の駆動電圧を出力可能な車載バッテリ１０は、大型であり且つ重量が大きくなるため、２両の車両２ａ，２ｂに分散して搭載されている。
【００４１】
そこで、車載バッテリ１０は、８つのバッテリユニット１０Ａ〜１０Ｈに分割され、先頭車両２ａに４つのバッテリユニット１０Ａ〜１０Ｂ，１０Ｇ〜１０Ｈが搭載され、後続車両２ｂにも４つのバッテリユニット１０Ｃ〜１０Ｄ，１０Ｅ〜１０Ｆが搭載されている。これら８つのバッテリユニット１０Ａ〜１０Ｈは接続線により直列に接続されている。但し、これら車両２ａ，２ｂの連結部においては、被覆で覆われたジャンパ線２２ａ，２２ｂで連結されている。
【００４２】
そこで、先頭車両２ａにおいては、これら４つのバッテリユニット１０Ａ〜１０Ｂ，１０Ｇ〜１０Ｈの接続部の各々に、第１配線用遮断器３５に有する４つの遮断用接点３５ａ〜３５ｄが夫々対応させて介設されている。後続車両２ｂにおいても同様に、これら４つのバッテリユニット１０Ｃ〜１０Ｄ，１０Ｅ〜１０Ｆの接続部の各々に、第２配線用遮断器３６に有する４つの遮断用接点３６ａ〜３６ｄが夫々対応させて介設されている。
【００４３】
ここで、これら第１，第２配線用遮断器３５，３６は、モールドケース型であり、所謂、ＭＣＣＢ（Molded-Case Circuit Breaker）と称され、一般的には３相交流用に使用される遮断器であり、３相（Ｕ相，Ｖ相，Ｗ相）用の３つの遮断用接点３５ａ〜３５ｃ，３６ａ〜３６ｃにニュートラル用の１つの遮断用接点３５ｄ，３６ｄを加えた４つの遮断用接点３５ａ〜３５ｄ，３６ａ〜３６ｄを有している。ここで使用するＭＣＣＢと称される第１，第２配線用遮断器３５，３６は、３相交流用を直流に使用出来るように改良したものである。
【００４４】
直流に使用する場合、直流は交流のように電流の流れる方向が切替り周期的に電流零になることが無いので、交流に比べて電流を遮断することは困難である。そこで、ＭＣＣＢ型の第１，第２配線用遮断器３５，３６を直流遮断器として使用する場合には、複数個の遮断用接点３５ａ〜３５ｄ，３６ａ〜３６ｄを直列に接続し、第１，第２配線用遮断器３５，３６が過電流を検知した場合には、直列接続された複数の遮断用接点３５ａ〜３５ｄ，３６ａ〜３６ｄが一斉に開成されるようになっている。
【００４５】
それ故、図２において、これら複数のバッテリユニット１０Ａ〜１０Ｈを有するバッテリ回路に過電流が流れ、第１，第２配線用遮断器３５，３６が過電流に反応して遮断作動した場合、２つの第１，第２配線用遮断器３５，３６が同時に遮断動作するのが理想であるが、実際には、過電流検知特性において微妙に違いがあるため、２つの第１，第２配線用遮断器３５，３６が同時に遮断動作することは期待できない、
【００４６】
従って、第１、第２配線用遮断器３５、３６について、各単独で過電流を遮断できる能力を持たせ、何れか一方が先行遮断した場合に遮断動作しない何れか他方の第１，第２配線用遮断器３５，３６については、先に遮断動作した一方の第１，第２配線用遮断器３５，３６に有する補助接点を用いたシーケンス回路により、強制的に開成するように構成されている。その結果、車載バッテリ１０は、開成された８つの遮断用接点３５ａ〜３５ｄ，３６ａ〜３６ｄにより８つのバッテリユニット１０Ａ〜１０Ｈに分割される。
【００４７】
ここで、車載バッテリ１０は高電圧且つ大容量であっても、各バッテリユニット１０Ａ〜１０Ｈの出力電圧が人体に支障の無い安全な電圧（例えば、７５Ｖ）に設定しておくことで、何らかの列車事故が発生した場合でも、バッテリ回路への大きな短絡電流の流出を確実に回避して、乗客や乗員の感電防止、つまり車載バッテリ１０に対する安全対策を確実なものにすることができる。
【００４８】
このバッテリ充電装置２５においては、バッテリ電圧Ｅｂが略架線電圧Ｅａに等しく、車載バッテリ１０の充電によるバッテリ端子電圧の変動の最大値と最小値の変動幅の中に、架線電圧Ｅａが含まれるような電圧関係とする必要がある。このように、バッテリ電圧Ｅｂと架線電圧Ｅａとが略等しく選定されるので、車載バッテリ１０の充電は基本的には架線電圧が大部分を分担し、架線電圧Ｅａと車載バッテリ１０の充電電圧とに差電圧が生じた場合、その電圧差を電圧補償装置（電圧補償手段）２６により補足するようにしてある。
【００４９】
図１に示すように、バッテリ用充電装置２５は、電圧補償装置２６と、充電制御装置２７と、放電用スイッチ２８と、充電用スイッチ２９と、直流高速度遮断器２０と、電磁接触器２１を介して架線電圧Ｅａを受けることによりパンタ電圧検出信号を出力する第１電圧検出器１２と、ＤＣＬＩＮＫ４に供給されるＤＣＬＩＮＫ電圧を検出する第２電圧検出器１３と、バッテリ電圧Ｅｂを検出する第３電圧検出器１４と、コンデンサ１１(或いはＤＣＬＩＮＫ４)の検出電圧信号を出力する第４電圧検出器１５と、架線１に回生パワーを逆流させないように架線流出電流を検出する第１電流検出器１６と、架線１から受ける架線電流を検出する第２電流検出器１７と、後述する電圧補償装置２６からの出力電流を検出する第３電流検出器１８と、車載バッテリ１０の充電電流（バッテリ電流）を検出する第４電流検出器１９等を備えている。ここで、放電用スイッチ２８と充電用スイッチ２９とは、夫々サイリスタで構成されている。
【００５０】
電圧補償装置２６は、６個のサイリスタＳ１〜Ｓ６を組合せた自己転流機能を有しない３相全波整流型のサイリスタ変換器３１と、このサイリスタ変換器３１の交流電源として機能する定電圧定周波数の３相交流電源３２と、平滑リアクトル９等を有する。３相交流電源３２には、ＤＣＬＩＮＫ４から直流電力が供給されている。但し、３相交流電源３２は、電動車２に標準装備している補助装置のためのインバータ電源であってもよい。
【００５１】
先ず、３相全波整流型のサイリスタ変換器３１について説明する。
図１に示すように、サイリスタ変換器３１は、６つのサイリスタＳ１〜Ｓ６をブリッジ状に構成した電流型の変換器である。即ち、３組のサイリスタ（Ｓ１とＳ４、Ｓ２とＳ５、Ｓ３とＳ６）を夫々上下に直列接続した３組のサイリスタ回路ＳＡ〜ＳＣで構成されている。
【００５２】
各サイリスタ回路ＳＡ〜ＳＣのうちの上側サイリスタＳ１〜Ｓ３のアノードがＤＣＬＩＮＫ４に夫々接続されている。また、各サイリスタ回路ＳＡ〜ＳＣにおける上側の３つのサイリスタＳ１〜Ｓ３と下側の３つのサイリスタＳ４〜Ｓ６の接続点に、３相交流電源３２から出力される３相交流（Ｕ相、Ｖ相、Ｗ相）が絶縁トランス３３を介して供給されるようになっている。
【００５３】
３組のサイリスタ回路ＳＡ〜ＳＣのうちの下側サイリスタＳ４〜Ｓ６のカソードは、平滑リアクトル９を介して車載バッテリ１０の＋側端子に接続され、車載バッテリ１０の−側端子はグランドライン５に接続されている。それ故、サイリスタＳ１〜Ｓ６が作動することにより、車載バッテリ１０への充電電流を調整できるようになっている。
【００５４】
充電制御装置（これが充電制御手段に相当する）２７は、サイリスタ変換器３１の複数のサイリスタＳ１〜Ｓ６の各ゲートに点弧信号を夫々供給するゲート駆動回路３４と、このゲート駆動回路３４に制御信号を逐次供給するコントローラ３５等を備えている。
【００５５】
コントローラ３５は、マイクロコンピュータと入出力インターフェイス等を有し、電圧補償装置２６によるバッテリ充電時に、充電電流を制御するように、制御位相角（点弧位相角）αを演算により求め、この制御位相角αのタイミングで各サイリスタＳ１〜Ｓ６が点弧する点弧指令信号をゲート駆動回路３４に逐一供給する。
【００５６】
具体的に説明すると、電動車２が電化区間を力行走行或いは惰性走行している場合には、コントローラ３５は、第１〜第４電圧検出器１２〜１５からの電圧検出信号と、第１〜第４電流検出器１６〜１９からの検出電流信号とを受け、運行情報に基づいて電化区間の走行中における充電可能時間を演算で求め、この充電可能時間に車載バッテリ１０をフル充電できるように電圧補償装置２６を制御する。
【００５７】
ここで、コントローラ３５は、万年カレンダを記憶すると共に、時計を備え、前述した運行情報を記憶した運行情報記憶部３５ａ（図１４参照）を備えている。運行情報記憶部３５ａには、運行ダイヤのように、各走行路線毎に、各停留所の出発時刻、停留所間距離、停留所間所要時間、停留所停車時間、電化区間距離、非電化区間距離等の運行情報が予め記憶されている。そこで、電動車２が運行ダイヤに基づいて指定された路線を往復走行する。
【００５８】
そこで、コントローラ３５に有する充電電流演算部３５ｃ（図１４参照）は、始発駅から終着駅に向けて走行している走行途中の移動位置を時々刻々に求め、この移動位置と電化区間距離とに基づいて、電化区間における充電可能時間を求め、この充電可能時間と車載バッテリ１０の充電量とに基づいて、車載バッテリ１０をフル充電するための充電電流を演算により求める。それ故、車載バッテリ１０は電化区間を走行中に、確実にフル充電されるようになっている。
【００５９】
ここで、車載バッテリ１０の充電量は、バッテリ容量演算部３５ｂ（図１４参照）により、第４電流検出器１９の充電電流検出信号に基づく充電電流を積分することにより積算充電量が演算され、更に、バッテリ温度と充電電圧等の諸元情報をパラメータとして求められる。
【００６０】
電動車２が電化区間を走行中にブレーキ作動による制動時には、コントローラ３５は、第１〜第４電圧検出器１２〜１５からの電圧検出信号と、第１〜第４電流検出器１６〜１９からの検出電流信号とを受け、回生電力でコンデンサ１１の電圧が架線電圧Ｅａより上昇しないように、即ち、架線１に逆流する電流が零になるように、各サイリスタＳ１〜Ｓ６の制御位相角αを演算し、点弧指令信号をゲート駆動回路３４に供給する。ゲート駆動回路３４はコントローラ３５から受けた点弧指令信号に基づいて、対応するサイリスタＳ１〜Ｓ６のゲートに点弧信号を夫々供給する。
【００６１】
次に、このように構成されたバッテリ用充電装置２５の充電動作について説明する。ここで、３相交流を電源とした場合の電圧補償装置２６による補償電圧Ｅｃについて、順変換動作（図３〜図６）と、順逆平衡動作（図７〜図８）と、逆変換動作（図９〜図１２）の順に順次説明する。
【００６２】
先ず、順変換動作について説明する。
制御位相角αが小さい順変換動作（１）について図３，図４に示し、制御位相角αが順変換動作（１）よりも大きくなった順変換動作（２）について図５，図６に示す。ここで、正弦波の振幅を「１」として表示し、電圧補償制御の基準点が正弦波とＸ軸（縦軸）との交点である。Ｙ軸（横軸）は位相角を示してある。
【００６３】
順変換動作（１）について説明する。図３において、Ｕ相、Ｖ相、Ｗ相の制御前の正弦波を細線で示す。図４−１に示すように、基準点から制御位相角αだけ経過した時点で、Ｕ相（Ｕ素子Ｓ４）が点弧され、その前まで、Ｖ相（Ｙ素子Ｓ２）からＷ相（Ｗ素子Ｓ６）に流れていた電流は、この時点でＶ相（Ｙ素子Ｓ２）からＵ相（Ｕ素子Ｓ４）に転流する。
【００６４】
次に、図４−２に示すように、Ｗ相（Ｚ素子Ｓ３）が点弧され、Ｖ相（Ｙ素子Ｓ２）からＵ相（Ｕ素子Ｓ４）に流れていた電流はＷ相（Ｚ素子Ｓ３）からＵ相（Ｕ素子Ｓ４）へと転流する。更に、図４−３に示すように、Ｖ相（Ｖ素子Ｓ５）が点弧され、電流はＷ相（Ｚ素子Ｓ３）からＵ相（Ｕ素子Ｓ４）に流れていた電流はＷ相（Ｚ素子Ｓ３）からＶ相（Ｖ素子Ｓ５）へと転流する。
【００６５】
正弦波の太線包絡線間の電圧がサイリスタ変換器３１の出力電圧となる。即ち、最上段に示す電圧補償装置２６の出力電圧（ハッチングにて図示）である。図４−１〜図４−３に示す絶縁変圧器３３の巻線の電圧の向きは、図３の正弦波形において、正弦波形がＸ軸より上側にあるときが補償電圧＋Ｅｃで、絶縁変圧器３３の巻線の中性点から外側に向かって正の電圧が発生する。正弦波形がＸ軸より下側にあるときが補償電圧−Ｅｃで、絶縁変圧器３３の巻線の外側から中性点に向かって正の電圧が発生するとしている。
【００６６】
図３に「Ａ」、「Ｂ」、「Ｃ」で示した時点を、図４−１の（Ａ）、図４−２の（Ｂ）、図４−３の（Ｃ）に示す。Ａ時点について、図４−１に示すように、Ｕ相電圧が「＋」、Ｖ相とＷ相の電圧が「−」であるので、Ｕ相巻線の電圧方向は外向きで且つＶ相とＷ相巻線は内向きである。電流が流れるのはＵ相とＶ相で、Ｕ相電圧とＶ相電圧が加算され、電流の流れる方向と変圧器巻線に発生する電圧方向とが同じなので、絶縁変圧器３３の巻線電圧は架線電圧Ｅａに加算される。
【００６７】
Ｂ時点について、図４−２に示すように、Ｖ相→Ｕ相に流れていた電流がＷ相→Ｕ相に転流した後の状態であり、Ｕ相，Ｖ相電圧が「＋」、Ｕ相、Ｖ相巻線の電圧方向は外向き、Ｗ相巻線は内向きである。電流の流れるのはＵ相とＷ相で、Ｕ相電圧とＷ相電圧は加算され、電流の流れる方向と変圧器巻線に発生する電圧方向が同じなので、絶縁変圧器３３の巻線電圧は架線電圧Ｅａに加算される。
【００６８】
Ｃ時点については、Ｕ相がＷ相に入れ替わるだけである。何れの時点「Ａ」，「Ｂ」，「Ｃ」においても、電圧補償装置２６の出力電圧は「＋」で、架線電圧Ｅａに加算される方向である。図５，図６−１〜図６−３に示す順変換動作（２）は、順変換領域で制御位相角αを、順変換動作（１）よりも進めた波形であり、各部の詳細は図３，図４−１〜図４−３に示す順変換動作（１）とほぼ変わらない。
【００６９】
次に、順逆平衡動作について、図７，図８−１〜図８−３に基づいて説明する。
図７は、制御位相角αを更に進めて、α＝２／３πの場合の正弦波を示す。基準点から制御位相角αが経過した時点で、Ｕ素子Ｓ４が点弧され、今までＹ素子Ｓ２からＷ素子Ｓ６に流れていた電流が、Ｙ素子Ｓ２からＵ素子Ｓ４の電流に切換えられる。
【００７０】
図８−１に示すように、Ａ時点において、転流直後のＵ相，Ｖ相の電圧は「＋」、Ｗ相の電圧は「−」である。電流はＶ相からＵ相に向かって流れ、Ｕ相電圧は外向きで電流の流れる方向と同じなので、架線電圧Ｅａに加算され、Ｖ相電圧は同じく外向きで電流の流れに逆らう方向である。従って、架線電圧Ｅａに対して減算となる。
【００７１】
転流直後においては、「Ｕ相電圧＞Ｖ相電圧」であり、差し引き「＋電圧」なので、電圧補償装置２６の出力電圧は「＋」で、架線電圧Ｅａに対して加算される。時間が経過して、Ｕ相電圧とＶ相電圧の交点を境に、Ｂ時点において、「Ｕ相電圧＜Ｖ相電圧」となり、電圧補償装置２６の出力電圧と「−」で、架線電圧Ｅａに対して減算となる。
【００７２】
Ｕ相，Ｖ相の電圧波形は両者の交点を通るＸ軸に対して互いに対称であるので、次に電流がＹ素子Ｓ２からＺ素子Ｓ３に切換えられる時点（先のＵ相への転流点から１／３π経過）までの、架線電圧Ｅａに対して加算される或いは減算される電圧波形はＸ軸との交点に対して点対称である。従って、加算、減算される電圧の平均値は等しく、電圧補償装置２６は平均値的には、加算も減算も行なわれない。
【００７３】
次に、制御位相角αが更に大きくなった逆変換動作について説明する。
制御位相角αが小さい逆変換動作（１）について図９，図１０−１〜図１０−３に示し、制御位相角αが逆変換動作（１）よりも大きくなった逆変換動作（２）について図１１，図１２−１〜図１２−３に示す。
【００７４】
逆変換動作（１）について説明する。図９，図１０−１〜図１０−３に示すように、基準点から制御位相角α＝５／６πが経過して時点で、Ｕ素子Ｓ４に点弧信号が与えられると、それまでＹ素子Ｓ２→Ｗ素子Ｓ６に流れていた電流は、Ｗ素子Ｓ６のアノード−カソード間に逆電圧が加わるので阻止され、Ｙ素子Ｓ２→Ｕ素子Ｓ４に転流する。
【００７５】
転流直後、Ａ時点において、Ｕ相，Ｖ相共に、絶縁変圧器３３に発生する電圧は中心点から外向きでＶ相の方が僅かに高い。Ｕ相巻線に発生する電圧の方向と流れる電流の方向が一致するので、Ｕ相電圧は架線電圧Ｅａに対して加算される。他方、Ｖ相巻線に発生する電圧の方向と流れる電流の方向は逆なので、Ｖ相電圧は架線電圧Ｅａに対して減算となる。
【００７６】
電圧補償装置２６としての出力電圧は、Ｖ相電圧の方がＵ相電圧よりも僅かに高いので、架線電圧Ｅａに対して減算となる。更に、制御位相角αが大きくなると、Ｖ相電圧とＵ相電圧の差が大きくなり、電圧補償装置２６による減算値は時間と共に増加する。制御位相角α＝７／６πに至ると、Ｕ素子Ｓ４に点弧信号が与えられ、Ｙ素子Ｓ２→Ｗ素子Ｓ６に流れていた電流は、Ｗ素子Ｓ６のアノード−とカソード間に逆電圧が加わるので阻止され、Ｙ素子Ｓ２→Ｕ素子Ｓ４に転流する。
【００７７】
転流後、Ｂ時点において、Ｕ相，Ｗ相に関して、絶縁変圧器３３に発生する電圧は夫々中心点に向かう内向きで、絶対値はＵ相の方が大きい。Ｕ相巻線に発生する電圧の方向と流れる電流の方向は逆なので、Ｕ相電圧は架線電圧Ｅａに対して減算される。一方、Ｗ相巻線に発生する電圧の方向と流れる電流の方向が一致するので、Ｗ相電圧は架線電圧Ｅａに対して加算される。
【００７８】
電圧補償装置２６としての出力電圧は、Ｕ相電圧の方がＷ相電圧よりも絶対値において大きいので、架線電圧Ｅａに対して減算となる。更に、制御位相角αが大きくなるＣ時点において、Ｕ相電圧とＷ相電圧の差は大きくなるので、電圧補償装置２６による減算値は時間と共に増加する（Ｃ時点参照）。図１１，図１２−〜図１２−３に示す逆変換動作（２）は、逆変換領域で制御位相角αを、逆変換動作（１）よりも進めた、α＞πの動作波形であり、各部の詳細は図９，図１０−１〜図１０−３に示す逆変換動作（１）とほぼ変わらない。
【００７９】
前述したように、制動時に発生する回生エネルギーは全て車載バッテリ１０に充電されるようになっている。この充電に際して、コントローラ３５は第４電流検出器１９からの充電電流の電流値を取込んで積分し、この充電電流の積分値を記憶しておく。バッテリ放電時にも同様に、第４電流検出器１９からの放電電流の検出値を取込んで積分し、放電電流の積分値を記憶する。
【００８０】
そこで、これら放電電流の積分値と充電電流の積分値とを常時監視し、更に車載バッテリ１０の温度、端子電圧等のファクターも考慮し、バッテリ容量の残存値が許容値を下回った時点で放電を中止する。ここで、第３電圧検出器１４は、上述したバッテリ容量の算出に当たっての一つのファクターとして使用される。
【００８１】
バッテリ電圧Ｅｂが架線電圧Ｅａよりも低い充電期間Ｋ１（図１５参照）においては、各サイリスタ回路ＳＡ〜ＳＣのサイリスタＳ１〜Ｓ６が、７/６π＜α＜２/３πの範囲の制御位相角αで夫々点弧される。この場合には、図１１に示すように、サイリスタ変換器３１のインバータ作用により、架線電圧Ｅａから補償電圧−Ｅｃだけ差し引いた充電電圧Ｅｊが車載バッテリ１０に印加される。但し、充電が進むにつれて充電電圧Ｅｊが上昇するのに伴って、図９に示すように、制御位相角αは徐々に小さくされ、補償電圧−Ｅｃの絶対値が小さくなるように制御される。
【００８２】
電動車２の制動時に発生する回生パワーは、回生開始時点で最大になり、ブレーキ作動による走行速度の低下に伴って徐々に減少する。電圧補償装置２６には、回生によってＤＣＬＩＮＫ４に流入する全パワーを過不足なく車載バッテリ１０に充電する充電能力が要求される。充電開始時点においては、バッテリ電圧Ｅｂは最低であるので、電圧補償装置２６を構成するサイリスタ変換器３１により正弦波交流の平均電圧が降圧側（図１５、Ｋ１領域）に調整されるので、車載バッテリ１０は低い充電電圧Ｅｊで充電される（図１１参照）。
【００８３】
この場合、コントローラ３５は、第２電圧検出器１３、第４電圧検出器１５、第２電流検出器１７から出力される検出信号に基づいて、架線電圧ＥａとＤＣＬＩＮＫ電圧との差電圧が零になるように、回生電流の全て、つまり１００％の回生電流が車載バッテリ１０に充電され、架線１側に流出しないような条件を演算し、回生電流の全て（１００％）が車載バッテリ１０に充電されるように、制御位相角αを微調節する。
【００８４】
即ち、回生電流は、充電開始時点で最大であり、走行速度が減速するのに応じて減少する。そこで、回生電流に応じた充電電流で車載バッテリ１０に充電できるように、回生電流の減少に追随して制御位相角αを小さくし且つ補償電圧（−Ｅｃ）の絶対値を小さくするように微調整しながら、架線電圧ＥａとＤＣＬＩＮＫ電圧の差電圧が零となるように、即ち、第１電流検出器１６の検出電流値が「零」となるように調整される。更に、充電が進むにつれて、充電電圧Ｅｊが徐々に高くなるので、電圧補償装置２６は逐一、制御位相角制御が行われ、補償電圧は（+Ｅｃ）に移行する。
【００８５】
このように、電圧補償装置２６のサイリスタ変換器３１により減算補償電圧−Ｅｃが発生する場合には、この減算補償電圧−Ｅｃに、充電電流を掛け算して求められる電圧補償装置２６が分担するパワーは、サイリスタ変換器３１から３相交流電源３２の交流側に移行される。しかも、このように、３相交流電源３２の交流側に移行された電力は、３相交流電源３２を経由して、結果的には、サイリスタ変換器３１により車載バッテリ１０に充電される。
【００８６】
その後、充電電圧Ｅｊが大きくなって架線電圧Ｅａに接近する場合、つまり電圧補償装置２６の出力電圧平均値である補償電圧Ｅｃが略零付近の場合には、コントローラ３５は制御位相角αを略２π／３にする（図１５参照）。電圧補償装置２６のサイリスタ変換器３１は、図７にハッチングで示すように、インバータ作用をするのでもなく、次に説明する整流作用をするのでなく、所謂中間動作（順逆平衡動作）として作用するので、略架線電圧Ｅａに等しい充電電圧Ｅｊが車載バッテリ１０に印加される（図７参照）。
【００８７】
更に、充電が進行して、充電電圧Ｅｊが架線電圧Ｅａより大となると、電圧補償装置２６は順変換領域の範囲になり、架線電圧Ｅａに補償電圧Ｅｃが加算される。即ち、コントローラ３５は、制御位相角αが、π／６＜α＜２π／３の範囲内において、サイリスタＳ１〜Ｓ６の制御位相角αを制御する（図１５、Ｋ２領域）。
【００８８】
それ故、充電が進むにつれて充電電圧Ｅｊが上昇するのに伴って、制御位相角αが徐々に小さくなるように制御される。この場合、図３，図５に示すように、電圧補償装置２６のサイリスタ変換器３１の整流作用により、架線電圧Ｅａに対して、補償電圧（加算電圧）＋Ｅｃだけ加算した充電電圧Ｅｊが車載バッテリ１０に印加される（図５参照）。
【００８９】
このように、充電期間Ｋ２の場合には、３相交流電源３２から出力される３相正弦波交流を電源として、電圧補償装置２６の平均電圧は「＋」であり、加算側に調整されるので、車載バッテリ１０は架線電圧Ｅａよりも高い充電電圧Ｅｊで充電される。
【００９０】
電動車２が惰行状態のときに、運転士が操作するマスターコントローラにより回生指令が発せられると、ＶＶＶＦインバータ７は制動動作を開始する。即ち、誘導電動機８は、その回転周波数に対してブレーキ力指令に応じたブレーキ力を発生する電動機回転周波数より低い周波数（両者の周波数の差が滑り周波数であり、ブレーキの場合はマイナスの値となる）で励磁される。即ち、誘導電動機８は発電機として作用し、ブレーキ力を発生する。それ故、ＶＶＶＦインバータ７はコンバータとして作用し、直流側であるＤＣＬＩＮＫ４に整流パワーが回生され、車載バッテリ１０に充電される。
【００９１】
ＤＣＬＩＮＫ４に供給された直流パワーは、電圧補償装置２６による充電作用によって、架線１に逆流することなく、車載バッテリ１０に確実に充電される。つまり、回生電力の全てが電圧補償装置２６のサイリスタ変換器３１により効率良く車載バッテリ１０に充電される。
【００９２】
回生パワーの全てを、架線１に逆流させないようにして車載バッテリ１０に充電させるためには、第２，第４電圧検出器１３，１５からの検出電圧を比較して、両電圧がほぼ等しくなるように制御する。この場合、コントローラ３５は、サイリスタＳ６〜Ｓ６の制御位相角αを制御し、電圧補償装置２６の出力電圧を変えて、第１電流検出器１６の電流値が零になるように制御する。
【００９３】
ところで、電動車２が非電化区間を走行する場合には、図１３に示すように、パンタグラフ３が下降されるので、電動車２が走行するための駆動電力は、最早、架線１から供給されることはない。そこで、パンタグラフ３が下降状態であり、しかも運転士が操作するマスターコントローラにより力行指令が発せられると、コントローラ３５は放電用スイッチ２８を点弧するようにゲート駆動回路３４に駆動信号を出力するので、放電用スイッチ２８はゲート駆動回路３４からの点弧信号により導通状態になる。
【００９４】
それ故、車載バッテリ１０の電力は放電用スイッチ２８を経てＶＶＶＦインバータ７に直接に供給される。このとき、ＶＶＶＦインバータ７は、車載バッテリ１０から駆動電力を受け、マスターコントローラからの速度指令信号に応じてインバータ制御するので、誘導電動機８は、ＶＶＶＦインバータ７から供給される３相交流の電圧と周波数とに応じて回転駆動される。
【００９５】
電動車２が非電化区間を惰性走行中に、運転士が操作するマスターコントローラにより回生指令が発せられると、コントローラ３５は充電用スイッチ２９を点弧するようにゲート駆動回路３４に駆動信号を出力するので、充電用スイッチ２９はゲート駆動回路３４からの点弧信号により導通状態になる。
【００９６】
この場合、前述したように、ＶＶＶＦインバータ７は制動動作を開始し、誘導電動機８は発電機として作用するので、ＶＶＶＦインバータ７はコンバータとして作用し、ＤＣＬＩＮＫ４に整流パワーが回生され、充電用スイッチ２９を経て車載バッテリ１０に直接に充電される。
【００９７】
次に、コントローラ３５により実行される車載バッテリ１０への充電動作について、図１４の機能ブロック図に基づいて説明する。バッテリ用充電装置２５による車載バッテリ１０への充電は、基本的には定電流充電で行なう。そのため、電流基準値ＩＫと電圧補償装置２６からの出力電流値を比較し、この出力電流が一定になるような制御を行なう。
【００９８】
電圧補償装置２６からの出力電流は、第３電流検出器１８で検出され、この出力電流が所定の電流基準値ＩＫと比較される。「電圧補償装置２６の出力電流＞電流基準値ＩＫ」の場合には、「−信号」が次段の第３関数器（比例積分調節器として機能）３５ｇに入力され、増幅器ＩＴ３で増幅され、電圧補償制御部２６ａにより、サイリスタ変換器３１のための制御位相角（導通角）αを小さくする位相角制御が、「電圧補償装置２６の出力電流＝電流基準値ＩＫ」になるまで行なわれる。
【００９９】
第３関数器３５ｇの入力値は「零」となるが、第３関数器３５ｇは積分器であるので、ゲインは「∞」で入力値が「零」になっても、制御位相角αを小さくする制御状態は維持される。電流基準値ＩＫは、架線電圧Ｅａと、車載バッテリ１０及びその他の環境条件を加味して変更することが必要な場合がある。
【０１００】
ここで、具体的な運行状態について説明する。電化区間と非電化区間を直通で運転すると言うことは、非電化区間の路線長にも依るが、変電所から見れば、駆動パワーを供給する電動車２が増えたことになり、架線電圧Ｅａの電圧低下が大きくなる傾向を示す。
【０１０１】
従って、架線電圧Ｅａが大幅に低下した場合、充電動作を継続することは変電所に大きな負担を強いることになり、更なる架線電圧Ｅａの電圧低下を助長させることになる。このような場合には、充電電流を架線電圧Ｅａの低下に応じて減少させる。或いは架線電圧Ｅａが所定の最低電圧値以下になった場合には、充電動作を停止させるような制御を行なう。
【０１０２】
ここで、図１に示すように、電圧低下検出器１３Ａから出力される電圧低下検出信号が「１」のときには、第２電圧検出器１３で検出されたＤＣＬＩＮＫ電圧は所定の電圧を維持している。しかし、電圧低下検出器１３Ａからの電圧低下検出信号が「０」のときには、ＤＣＬＩＮＫ電圧は所定の電圧以下であって、電圧低下状態である。電圧低下検出器１３Ａは、関数発生器であり、ＤＣＬＩＮＫ電圧の大きさに応じて、「１」又は「０」の電圧検出信号を出力する。
【０１０３】
即ち、図１４に示す充電動作制御においては、電圧低下検出器１３Ａから出力される電圧検出信号が「０」であって、架線電圧Ｅａが最低電圧値以下になった場合には、電流指令値に検出信号の「０」を乗算して、充電動作を停止させるようにしている。
【０１０４】
車載バッテリ１０に対する充放電電流は第４電流検出器１９で検出されるので、コントローラ３５の演算部３５ｂは、この検出された充放電電流を積分して電流時間積を演算し、そのときの車載バッテリ１０の温度、充電電圧等を加味して、車載バッテリ１０のバッテリ容量を常に演算で求めるようにしている。
【０１０５】
一方、電動車２の電化区間における運行状態は運行情報記憶部３５ａにより前以って決められている。そこで、充電可能時間演算部３５ｈにより、充電可能な残り時間は、電化区間における電動車２の走行位置に基づいて、時々刻々演算されている。また、車載バッテリ１０のバッテリ容量は前述したように演算部３５ｂにより常時演算されている。
【０１０６】
そこで、コントローラ３５の充電電流演算部（演算手段に相当する）３５ｃにより、バッテリ容量と充電可能残時間とから、現在の充電電流で非電化区間に入る時点で、バッテリ容量を完全に回復できるかどうかについて、常に演算処理されている。もし、バッテリ容量の不足状態が予測される場合には、充電電流変更指令を出力して、充電電流を増加させる制御を行なう。
【０１０７】
例えば、バッテリ容量を完全に回復させるために、充電電流を３０％増やす必要がある場合には、係数「1.3」を乗算する。逆に、バッテリ容量の過剰状態が予測される場合には、充電動作を停止させるか、或いは充電電流を減らすように係数（例えば、0.85）を乗算する。
【０１０８】
次に、電化区間における回生制動について説明する。
電圧補償装置２６は、前述したように、基本的には定電流充電を行なっているが、電動車２が回生制動を行なう場合、車載バッテリ１０に充電する充電電流値を変えなければ、回生パワーの全てを車載バッテリ１０に充電させることはできない。
【０１０９】
回生制動が開始されると、コンデンサ１１のフィルターキャパシタ電圧が突き上げられ、第２電圧検出器１３のＤＣＬＩＮＫ電圧が上昇するので、このＤＣＬＩＮＫ電圧を電圧基準値ＶＫと比較し、「ＤＣＬＩＮＫ電圧＞電圧基準値ＶＫ」の場合には、差電圧が「−」になる。
【０１１０】
その結果、この「−」信号が第２関数器３５ｆを経て次の比例積分増幅器ＩＴ２で増幅され、電流基準値ＩＫが増加されるので、電圧補償装置２５の制御位相角αを小さくして導通時間を拡げる方向に制御されることになり、充電電流が増加し、第２電圧検出器１３のＤＣＬＩＮＫ電圧と電圧基準値ＶＫとの差が「０」になるまで継続して、充電電流変更制御が行なわれる。
【０１１１】
しかし、回生ブレーキによる電動車２の走行速度が低下するのに応じて回生パワーが減少し、第２電圧検出器１３からのＤＣＬＩＮＫ電圧が時間の経過に伴って順次低下する。そして、「ＤＣＬＩＮＫ電圧＜電圧基準値ＶＫ」の状態になると、差電圧が「＋」に変わる。この場合には、第２関数器３５ｆと比例積分増幅器ＩＴ２が協働して電圧補償装置２５の制御位相角αを大きくして導通時間を減らす方向に制御されることになる。
【０１１２】
即ち、常に差電圧が「０」になるように、回生パワーの減少に応じて位相角変更制御が行なわれ、電流基準値ＩＫも回生ワーの減少に応じて下げるように制御される。このようにして、回生電流の架線１への流出防止の制御が行なわれる。ところで、回生制動の末期であって、回生電流が充電電流の指令値以下になった場合、充電電流の不足分は架線１から供給される。
【０１１３】
具体的に説明すると、架線１への流出電流（架線流出電流であって、架線１への流出方向を「正」とする）を第１電流検出器１６で検出し、この架線流出電流を架線電流零基準値ＫＩＺと比較する。この架線流出電流が存在する場合には、次の第１関数器３５ｅの入力信号が「−」であるので、第１関数器３５ｅの出力信号も「−」となる。従って、電圧基準値ＶＫを下げるようになる。更に、次段の比例積分増幅器ＩＴ１で増幅する。
【０１１４】
そのため、結果的には、電流基準値ＩＫを増加させ、電圧補償装置２６の制御位相角αを小さくして導通時間が増大するように、「架線電流＝架線電流零基準値ＫＩＺ」になるまで行なう。ここで、第１関数器３５ｅは積分器であるので、ゲイン「∞」で且つ入力信号が「零」であっても、制御位相角αを小さくして導通時間を増やす制御状態は維持される。逆に、「架線電流＞架線電流零基準値ＫＩＺ」の場合には、架線１から流入する流入電流は制限されない。
【０１１５】
ところで、非電化区間では、電圧補償装置２６は使用されない、つまりサイリスタ変換器３１は駆動制御されないので、電圧補償装置２６に対する一切の電流指令が零になる。そのため、非電化区間に進入するに際して、電磁接触器２１が開成（ＯＦＦ状態）され、パンタグラフ３が下げられる。そこで、非電化区間の走行に際して、第１電圧検出器１２からのパンタ電圧が無いとする「Ｈレベル信号」と、パンタグラフ３が下降していることを示すインターロック「Ｈレベル信号」がＡＮＤ素子４０に入力される。
【０１１６】
そこで、非電化区間における切換え制御部３５ｄは、ＡＮＤ素子４０から出力される「Ｈレベル信号」を受けた状態で、マスターコントローラから「力行指令」ＣＲを受けた場合には、放電用スイッチ２８に点弧信号を供給してＯＮ状態に切換える。このとき、電圧補償装置２６の動作は停止されているので、車載バッテリ１０に蓄積されている駆動電力は、電圧補償装置２６による放電ロスを回避した状態で、ＶＶＶＦインバータ７に直接に供給され、車載バッテリ１０の駆動電力による力行動作が可能になる。
【０１１７】
一方、非電化区間における切換え制御部３５ｄは、非電化区間であって、マスターコントローラから「ブレーキ指令」ＣＢを受けた場合には、充電用スイッチ２９に点弧信号を供給してＯＮ状態に切換える。このとき、電圧補償装置２６の動作は停止されているので、ＶＶＶＦインバータ７からの回生パワーは、電圧補償装置２６による充電ロスを回避した状態で、回生電力の全てを充電用スイッチ２９を介して車載バッテリ１０に効率良く直接充電される。
【０１１８】
このように、電動車２が非電化区間を走行するに際して、電圧補償装置２６を使用せず、車載バッテリ１０が放電用スイッチ又は充電用スイッチ２９を介してＶＶＶＦインバータ７に直接に接続される。即ち、ＶＶＶＦインバータ７側から見ると、車載バッテリ１０は単なる電源と見なされ、電化区間を走行する際の架線１と同様に、電力供給手段として作用する。
【０１１９】
一般に、鉄道車両用の誘導電動機８は、電化区間を走行中に架線電圧Ｅａが大幅に変動した場合でも、安定走行が可能なように設計されている。そこで、非電化区間の走行時に、車載バッテリ１０から出力される駆動電圧に大きな変動が生じた場合でも、電化区間を走行するのと同様に、誘導電動機８を何ら支障なく駆動制御することができる。
【０１２０】
この実施例で説明した電動車２は、一般に「バッテリ電動車」と呼ばれ、高電圧（例えば、６００Ｖ〜８００Ｖ）且つ大容量（例えば、１５０〜２００ＡＨ）の車載バッテリ１０を搭載する必要がある。この種の車載バッテリ１０は、外形寸法においても、重量においても大型になる。そのため、車載バッテリ１０を１台の車両に纏めて搭載することは、スペース的にも重量的にも困難であり、幾つかの車両２ａ，２ｂに分散して搭載する必要がある。
【０１２１】
更に、車載バッテリ１０については、前述したように高電圧且つ大容量であることから、何らかの原因により、車載バッテリ１０の短絡回路が構成された場合に、車載バッテリ１０から流出する事故電流も大電流となり、この事故電流を確実に遮断するために、図２に示すように、８つのバッテリユニット１０Ａ〜１０Ｈの接続部の各々に、第１，第２配線用遮断器３５，３６の８つの遮断用接点３５ａ〜３５ｄ，３６ａ〜３６ｄが夫々対応させて介設されている。
【０１２２】
それ故、事故電流が第１，第２配線用遮断器３５，３６の何れかにより感知されると、事故電流を感知した第１，第２配線用遮断器３５，３６が遮断動作し、対応する遮断用接点３５ａ〜３５ｄ又は３６ａ〜３６ｄが一斉に開成される。更に、開成された方の第１，第２配線用遮断器３５，３６の連動補助接点により、開成せずに残った他方の第１，第２配電用遮断器３５，３６の外部トリップ機構に作動信号を入れ、他方の第１，第２配電用遮断器３５，３６を強制的に開成させる。
【０１２３】
これら８つの遮断用接点３５ａ〜３５ｄ，３６ａ〜３６ｄが開成され、車載バッテリ１０は、開成された８つの遮断用接点３５ａ〜３５ｄ，３６ａ〜３６ｄにより８つのバッテリユニット１０Ａ〜１０Ｈに分割されるので、乗客や乗員の感電防止、つまり車載バッテリ１０に対する安全対策を確実なものにすることができる。
【０１２４】
このように、電力を蓄電可能な車載バッテリ１０と走行駆動用誘導電動機８とを備え、電化区間と非電化区間とに亙って連続して走行可能な電動車２における車載バッテリ１０に対するバッテリ用充電装置２５により、電動車２が電化区間を走行中に、運行情報から求めた充電可能時間に基づいて演算した充電電流となるように電圧補償装置２６が制御され、電動車２が電化区間の走行中に車載バッテリ１０をフル充電させることができる。
【０１２５】
それ故、非電化区間においては、誘導電動機８は架線１から電力供給を受ける代わりに、フル充電された車載バッテリ１０から駆動電力を受けることができ、電動車２は電化区間に続く非電化区間を何ら支障なく確実に完走することができる。
【０１２６】
また、充電制御装置２７は、電動車２の制動時に、ＤＣＬＩＮＫ４から架線１に逆流させることなく、誘導電動機８で回生した回生電力の全てを車載バッテリ１０に充電するように電圧補償装置２６を制御するので、架線１に回生しても回生失効等で無駄になるような回線電力を、無駄なく且つ効率良く車載バッテリ１０に充電させることができる。
【０１２７】
また、車載バッテリ１０の充電電力を誘導電動機８に直接供給するための放電用スイッチ２８を設け、充電制御装置２７は非電化区間においては、電圧補償装置２６の作動を停止し、放電用スイッチ２８を閉成するので、電圧補償装置２６の余分な制御を中止することができ、車載バッテリ１０に蓄電されている駆動電力を放電用スイッチ２８を介して誘導電動機８に直接に供給して、電動車２を走行させることができる。
【０１２８】
即ち、車載バッテリ１０から誘導電動機８に至る放電回路に、電圧補償装置２６が介在せず、放電動作を妨げるような抵抗体が一切存在しないので、電圧補償装置２６による放電ロスを確実に回避でき、車載バッテリ１０に蓄積した駆動電力の全てを電動機に効率良く迅速に供給することが可能になる。
【０１２９】
この場合、電動車２の誘導電動機８は、電化区間を走行中に架線電圧Ｅａが大幅に変動した場合でも、安定走行が可能なように設計されているため、非電化区間の走行時に、車載バッテリ１０から出力される駆動電圧に大きな変動が生じた場合でも、誘導電動機８を駆動制御することができる。
【０１３０】
また、誘導電動機８からの回生電力を車載バッテリ１０に直接供給するための充電用スイッチ２９を設け、充電制御装置２７は非電化区間の制動時においては、電圧補償装置２６の作動を停止し、充電用スイッチ２９を閉成するので、回生電力の車載バッテリ１０への充電回路に、電圧補償装置２６が介在せず、充電を妨げるような抵抗体が一切存在しないので、電圧補償速２６による充電ロスを回避でき、回生電力の全てを充電用スイッチ２９を介して車載バッテリ１０に効率良く直接充電が可能になる。
【０１３１】
更に、ＤＣＬＩＮＫ４の電圧が所定電圧以下になったことを検出する電圧低下検出器１３Ａを設け、この電圧低下検出器１３Ａで電圧低下が検出されると、充電制御装置２７は電圧補償装置２６による充電動作を停止させるので、架線１に電力を供給する変電所に対する電力供給負担を格段に軽減させることができ、更なる架線電圧Ｅａの低下を確実に防止することができる。
【０１３２】
次に、前記実施例を部分的に変更した変更形態について説明する。
１）図１６に示すように、パンタグラフ３とＤＣＬＩＮＫ４との間に逆流防止ダイオード（逆流防止スイッチ手段に相当する）３７を挿入させる場合について説明する。
【０１３３】
電動車２Ａが電化区間の走行に際して、力行時及び回生時の何れの場合であっても、ＶＶＶＦインバータ７によりパワー制御が行なわれる。駆動電源が架線１から供給される場合であっても、車載バッテリ１０から供給される場合であっても、ＶＶＶＦインバータ７から見れば同様である。従って、電圧補償装置２６が無くても、ＶＶＶＦインバータ７が車載バッテリ１０に直接接続されていれば、ＶＶＶＦインバータ７は電化区間の走行時と同様に、力行動作及び回生動作する。
【０１３４】
従って、電化区間を走行する際の回生時には、電圧補償装置２６を使用しない方が、車載バッテリ１０への充電ロスを回避する意味で望ましいと言える。即ち、電圧補償装置２６は定電流充電のみを扱うようにし、逆流防止ダイオード３７をパンタグラフ３とＤＣＬＩＮＫ４との間に介設するだけで、回生時に発生する回生電流の架線１への逆流防止のために、何ら特別な制御を行なう必要がなくなる。それ故、回生電流を扱わない電圧補償装置２６の小型化、低コスト化を図ることができる。更に、コントローラ３５による充電制御を省略することができる。
【０１３５】
更に、電圧補償装置２６と平行に充電用スイッチ２９を接続し、回生電流が電圧補償装置２６をバイパスして直接に車載バッテリ１０へ供給されるようにし、回生パワーの制御はＶＶＶＦインバータ７によって行なう。このように、回生電流の充電に際して電圧補償装置２６を使用しないので、車載バッテリ１０への充電電流の流入を妨げるものは無く、回生パワーは直接にＶＶＶＦインバータ７から車載バッテリ１０に吸収可能である。
【０１３６】
回生電流が電圧補償装置２６の設定電流以下になれば、電圧補償装置２６に自動的に切り替わり、充電用スイッチ２９には逆電圧が印加されるので、充電用スイッチにサイリスタ等の事故消弧能力の無いスイッチング素子を使用できる。これにより、電圧補償装置２６の小型化が可能になる。
【０１３７】
２）実施例において、電圧補償装置２６において、複数のサイリスタＳ１〜Ｓ６を用いた他励式のサイリスタ変換器３１と、サイリスタからなる放電用スイッチ２８及び充電用スイッチ２９を採用したが、ＧＴＯ（ゲート・ターンオフ・サイリスタ）を使用してもよく、また高周波動作が可能なＩＧＢＴ（インシュレーテッド・ゲート・バイポーラ・トランジスタ）、更には、パワーＭＯＳＦＥＴ（メタル・オキサイド・セミコンダクタ型ＦＥＴ）を使用するようにしてもよい。
【０１３８】
３）前述した実施例において、走行駆動用電動機は、３相の誘導電動機８に限られものではなく、永久磁石同期電動機であってもよい。
【０１３９】
４）実施例において、サイリスタ変換器３１の電源として、専用の３相交流電源３２を用いたが、電動車２，２Ａに装備している補助電源を適用するようにし、商用周波数の交流を適用するようにしてもよい。
【０１４０】
５）逆流防止ダイオード３７に代えて、サイリスタ等の半導体スイッチで構成するようにしてもよい。ここで、サイリスタを採用する場合には、電化区間において発生する回生電圧でゲートに点弧信号を供給するようにしてもよい。
【０１４１】
６）本発明は以上説明した実施例に限定されるものではなく、当業者であれば、本発明の趣旨を逸脱しない範囲で、前記実施例に種々の変更を付加して実施することができ、本発明はそれらの変更形態をも包含するものである。
【図面の簡単な説明】
【０１４２】
【図１】本発明の実施例に係るバッテリ用充電装置の電化区間における回路図である。
【図２】配線用遮断器の遮断用接点を介在させた車載バッテリの構成図である。
【図３】サイリスタ変換器の順変換動作（１）を説明する波形図である。
【図４−１】サイリスタ変換器におけるＶ相−Ｕ相励磁の説明図である。
【図４−２】サイリスタ変換器におけるＷ相−Ｕ相励磁の説明図である。
【図４−３】サイリスタ変換器におけるＷ相−Ｖ相励磁の説明図である。
【図５】サイリスタ変換器の順変換動作（２）を説明する波形図である。
【図６−１】サイリスタ変換器におけるＶ相−Ｕ相励磁の説明図である。
【図６−２】サイリスタ変換器におけるＷ相−Ｕ相励磁の説明図である。
【図６−３】サイリスタ変換器におけるＷ相−Ｖ相励磁の説明図である。
【図７】サイリスタ変換器の順逆変換を説明する波形図である。
【図８−１】サイリスタ変換器におけるＶ相−Ｕ相励磁の説明図である。
【図８−２】サイリスタ変換器におけるＶ相−Ｕ相励磁の説明図である。
【図８−３】サイリスタ変換器におけるＷ相−Ｕ相励磁の説明図である。
【図９】サイリスタ変換器の逆変換動作（１）を説明する波形図である。
【図１０−１】サイリスタ変換器におけるＶ相−Ｕ相励磁の説明図である。
【図１０−２】サイリスタ変換器におけるＷ相−Ｕ相励磁の説明図である。
【図１０−３】サイリスタ変換器におけるＷ相−Ｕ相励磁の説明図である。
【図１１】サイリスタ変換器の逆変換動作（２）を説明する波形図である。
【図１２−１】サイリスタ変換器におけるＶ相−Ｕ相励磁の説明図である。
【図１２−２】サイリスタ変換器におけるＶ相−Ｕ相励磁の説明図である。
【図１２−３】サイリスタ変換器におけるＷ相−Ｕ相励磁の説明図である。
【図１３】非電化区間における図１相当図である。
【図１４】充電制御を説明する機能ブロック図である。
【図１５】バッテリ電圧と架線電圧と制御位相角の関係を示す図表である。
【図１６】変更形態に係る図１相当図である。
【符号の説明】
【０１４３】
１      架線
２      電動車
２Ａ    電動車
３      パンタグラフ
４      ＤＣＬＩＮＫ
８      誘導電動機
１０    車載バッテリ
１３Ａ  電圧低下検出器
２５    バッテリ用充電装置
２６    電圧補償装置
２７    充電制御装置
２８    放電用スイッチ
２９    充電用スイッチ
３１    サイリスタ変換器
３４    ゲート駆動回路
３５    コントローラ
３５ｃ  充電電流演算部
３７    逆流防止ダイオード
Ｓ１〜Ｓ６  サイリスタ
【図１】
2008263741.tif 000003
【図２】
2008263741.tif 000004
【図３】
2008263741.tif 000005
【図４−１】
2008263741.tif 000006
【図４−２】
2008263741.tif 000007
【図４−３】
2008263741.tif 000008
【図５】
2008263741.tif 000009
【図６−１】
2008263741.tif 000010
【図６−２】
2008263741.tif 000011
【図６−３】
2008263741.tif 000012
【図７】
2008263741.tif 000013
【図８−１】
2008263741.tif 000014
【図８−２】
2008263741.tif 000015
【図８−３】
2008263741.tif 000016
【図９】
2008263741.tif 000017
【図１０−１】
2008263741.tif 000018
【図１０−２】
2008263741.tif 000019
【図１０−３】
2008263741.tif 000020
【図１１】
2008263741.tif 000021
【図１２−１】
2008263741.tif 000022
【図１２−２】
2008263741.tif 000023
【図１２−３】
2008263741.tif 000024
【図１３】
2008263741.tif 000025
【図１４】
2008263741.tif 000026
【図１５】
2008263741.tif 000027
【図１６】
2008263741.tif 000028